(57)【特許請求の範囲】
【請求項１】
左側に第一フランジ部が設けられ、右側に前記第一フランジ部と対向する第二フランジ部が設けられ、前記第一フランジ部と前記第二フランジ部とに摺動溝が対向して設けられるベースと、
旋回可能に前記ベースの上端と接続され、左側に前記第一フランジ部と隣接する第三フランジ部が設けられ、右側に前記第二フランジ部と隣接する第四フランジ部が設けられる接続座と、
前記ベースの上端に設けられ、左端が前記第一フランジ部及び前記第三フランジ部と旋回的に接続され、右端が前記第二フランジ部及び前記第四フランジ部と旋回的に接続される第一ピボットシャフトと、
前記第一ピボットシャフトと平行し、左端が前記第三フランジ部と接続され、右端が前記第四フランジ部と接続され、且つ両端がそれぞれ対応する前記第一フランジ部及び前記第二フランジ部における前記摺動溝内でスライド可能である第二ピボットシャフトと、
上端が前記第二ピボットシャフトと旋回可能に接続されるガイドロッドと、
前記ベースの下端に設けられ、前記ガイドロッドの下端が通過する支持座と、
前記ガイドロッドに設けられる位置決め部と、
前記ガイドロッドに嵌めて設けられ、前記位置決め部と前記支持座との間を移動可能なスプリングシースと、
前記スプリングシースに嵌めて設けられ、前記位置決め部と前記支持座との間に位置するスプリングと、
を含み、
前記位置決め部のガイドロッドにおける位置を調節するように、前記ガイドロッドには雄ねじが設けられ、前記位置決め部は前記ガイドロッドと螺合するナットである、
ことを特徴とする冷凍庫用のヒンジ。
【請求項２】
前記ナットの下方には、前記ガイドロッドと螺合するワッシャーが設けられることを特徴とする請求項１に記載の冷凍庫用のヒンジ。
【請求項３】
前記スプリングシースは、
前記ガイドロッドに嵌めて設けられる円管部と、
前記円管部の上端に設けられ、上端が前記ワッシャーの下端に当接するアニュラーフランジ部と、を含む、ことを特徴とする請求項２に記載の冷凍庫用のヒンジ。
【請求項４】
前記ナットは六角ナットであることを特徴とする請求項１に記載の冷凍庫用のヒンジ。
【請求項５】
前記ガイドロッドは円柱形のガイドロッドであることを特徴とする請求項１〜４のいずれかに記載の冷凍庫用のヒンジ。
【請求項６】
前記ガイドロッドの下端には、前記スプリングの下端と前記支持座との間に位置するスペーサが設けられることを特徴とする請求項１〜５のいずれかに記載の冷凍庫用のヒンジ。
【請求項７】
前記ガイドロッドの上端には、前記第二ピボットシャフトと旋回的に接続され、且つ上端に開口を具備する「Ｃ」状の接続部を有することを特徴とする請求項１〜６のいずれかに記載の冷凍庫用のヒンジ。
【請求項８】
前記第二ピボットシャフトには、前記「Ｃ」状の接続部の両側に位置するブッシングが設けられることを特徴とする請求項７に記載の冷凍庫用のヒンジ。
【請求項９】
請求項１〜８のいずれかに記載のヒンジを含むことを特徴とする冷凍庫。
【発明の詳細な説明】
【技術分野】
【０００１】
本発明は、冷却機器の技術分野に関し、具体的には、特に冷凍庫及び冷凍庫用のヒンジに関する。
【背景技術】
【０００２】
冷凍庫業界のヒンジは金属材質のものが多く、スプリングの圧縮によって力を伝達し、ドア体が開閉されるという効果を奏する。機械運動は金属の間に一定の摩擦騒音を生じさせ、摩擦騒音は主にスプリング、ガイドロッド、回転軸等の所に集中する。関連技術におけるヒンジのスプリングは、ドアが開放される際の圧力の作用で極めて変形しやすく、ヒンジのガイドロッドとタイルとの間、タイルと回転軸との間に磨耗が生じやすく、長時間の試験によると、スプリングが損傷されやすいことが分かった。また、ヒンジのスプリングは伸縮量が一定であり調節できず、例えば、弾力が大きすぎ又は小さすぎると使用が不便になる。
【発明の概要】
【０００３】
本発明の目的は、従来技術における少なくとも一つの技術的課題を解決することである。
【０００４】
そのため、本発明の一つの目的は、スプリングが折り曲がって変形しにくく、スプリングの伸縮量が調節でき、低騒音の冷凍庫用のヒンジを提供することである。
【０００５】
本発明のもう一つの目的は、上記のヒンジを有する冷凍庫を提供することである。
【課題を解決するための手段】
【０００６】
本発明の実施例の一つの側面は冷凍庫用のヒンジを提供し、冷凍庫用のヒンジは、左側に第一フランジ部が設けられ、右側に前記第一フランジ部と対向する第二フランジ部が設けられ、前記第一フランジ部と前記第二フランジ部とに摺動溝が対向して設けられるベースと、旋回可能に前記ベースの上端と接続され、左側に前記第一フランジ部と隣接する第三フランジ部が設けられ、右側に前記第二フランジ部と隣接する第四フランジ部が設けられる接続座と、前記ベースの上端に設けられ、左端が前記第一フランジ部及び前記第三フランジ部と旋回的に接続され、右端が前記第二フランジ部及び前記第四フランジ部と旋回的に接続される第一ピボットシャフトと、前記第一ピボットシャフトと平行し、左端が前記第三フランジ部と接続され、右端が前記第四フランジ部と接続され、且つ両端がそれぞれ対応する前記第一フランジ部及び前記第二フランジ部における前記摺動溝内でスライド可能である第二ピボットシャフトと、上端が前記第二ピボットシャフトと旋回可能に接続されるガイドロッドと、前記ベースの下端に設けられ、前記ガイドロッドの下端が通過する支持座と、前記ガイドロッドに設けられる位置決め部と、前記ガイドロッドに嵌めて設けられ、前記位置決め部と前記支持座との間を移動することができるスプリングシースと、前記スプリングシースに嵌めて設けられ、前記位置決め部と前記支持座との間に位置するスプリングと、を含む。
【０００７】
本発明の実施例による冷凍庫用のヒンジは、スプリングシースをガイドロッドとスプリングとの間に嵌めて設けることにより、スプリングがガイドロッドの中心線を外れる方向へ折り曲げられることを効果的に防止することができ、スプリングがガイドロッドと直接に接触することにより生じる摩擦騒音を避けることができるので、製品の性能を向上させ、ユーザーの満足度を向上させる。
【０００８】
また、本発明の上記実施例による冷凍庫用のヒンジは、更に以下の付加的な技術的特徴を有する。
【０００９】
本発明の一つの実施例によると、前記ガイドロッドに雄ねじが設けられ、前記位置決め部は、前記ガイドロッドと螺合するナットである。
【００１０】
本発明の一つの実施例によると、前記ナットの下方には、前記ガイドロッドと螺合するワッシャーが設けられる。
【００１１】
本発明の一つの実施例によると、前記スプリングシースは、前記ガイドロッドに嵌めて設けられる円管部と、前記円管部の上端に設けられ、上端が前記ワッシャーの下端に当接するアニュラーフランジ部と、を含む。
【００１２】
本発明の一つの実施例によると、前記ナットは六角ナットである。
【００１３】
本発明の一つの実施例によると、前記ガイドロッドは円柱形のガイドロッドである。
【００１４】
本発明の一つの実施例によると、前記ガイドロッドの下端には、前記スプリングの下端と前記支持座との間に位置するスペーサが嵌めて設けられる。
【００１５】
本発明の一つの実施例によると、前記ガイドロッドの上端には、前記第二ピボットシャフトと旋回的に接続され、且つ上端に開口を具備する「Ｃ」状の接続部を有する。
【００１６】
本発明の一つの実施例によると、前記第二ピボットシャフトには、前記「Ｃ」状の接続部の両側に位置するブッシングが設けられる。
【００１７】
本発明のもう一つの側面は冷凍庫を提供し、冷凍庫は上述のようなヒンジを含む。
【００１８】
本発明の実施例による冷凍庫は、スプリングシースをガイドロッドとスプリングとの間に嵌めて設けることにより、スプリングがガイドロッドの中心線を外れる方向へ折り曲げられることを防止することができ、スプリングがガイドロッドと直接に接触することにより生じる摩擦騒音を避けることができるので、製品の性能を向上させ、ユーザーの満足度を向上させる。
【００１９】
本発明の付加的な特徴と利点は、下記の説明において一部が示され、その一部は下記の説明により、明らかになり、又は、本発明の実践から理解される。
【図面の簡単な説明】
【００２０】
【図１】本発明の一つの実施例による冷凍庫用のヒンジの立体構造の模式図である。
【図２】図１におけるヒンジの正面図である。
【図３】図２のＡ-Ａ方向に沿う断面図である。
【符号の説明】
【００２１】
１００        ヒンジ
１０          ベース
１１          第一フランジ部
１２          第二フランジ部
１３          摺動溝
２０          接続座
２１          第三フランジ部
２２          第四フランジ部
３０          第一ピボットシャフト
４０          第二ピボットシャフト
４１          ブッシング
４２          溝体
５０          ガイドロッド
５１          スペーサ
５２          「Ｃ」状の接続部
６０          支持座
６１          貫通穴
７０          位置決め部
７１          ワッシャー
８０          スプリングシース
８１          アニュラーフランジ部
８２          円管部
９０          スプリング
【発明を実施するための形態】
【００２２】
以下に、本発明の実施形態を詳細に説明する。前記実施形態の例は図面に示されるが、同一または類似する符号は、常に、相同又は類似の部品、或いは、相同又は類似の機能を有する部品を表す。以下に、図面を参照しながら説明される実施形態は例示的なものであり、本発明を解釈するためだけに用いられ、本発明を限定するものと理解されてはならない。
【００２３】
本発明の説明において、「上」、「下」、「前」、「後」、「左」、「右」、「鉛直」、「水平」、「頂」、「底」、「内」、「外」などの用語が示す方位又は位置関係は、図面に示す方位又は位置関係に基づき、本発明を便利にまたは簡単に説明するために使用されるものであり、指定された装置又は部品が特定の方位にあり、特定の方位において構造され操作されると指示又は暗示するものではないので、本発明を限定するものと理解されてはならない。
【００２４】
なお、「第一」、「第二」の用語は目的を説明するためだけに用いられるものであり、相対的な重要性を指示又は暗示するか、或いは示された技術的特徴の数を黙示的に指示すると理解してはいけない。そこで、「第一」、「第二」の限定のある特徴は一つ又はより多くの前記特徴を含むことを明示又は暗示するものである。本発明の説明において、明確且つ具体的な限定がない限り、「複数」とは、二つ又は二つ以上のことを意味する。
【００２５】
なお、本発明の説明において、明確な規定と限定がない限り、「取り付け」、「互いに接続」、「接続」、「固定」などの用語の意味は広く理解されるべきである。例えば、固定接続や、着脱可能な接続であってもよく、あるいは一体的となっていてもよい。機械的な接続や、電気的な接続であってもよい。直接的に接続することや、中間媒体を介して間接的に接続することや、二つの部品の内部が連通することや、あるいは二つの部品の間に相互の作用関係があることであってもよい。当業者にとって、具体的な場合によって上記用語の本発明における具体的な意味を理解することができる。
【００２６】
以下に、図１〜図３を参照しながら本発明の実施例による冷凍庫用のヒンジ１００を詳細に説明する。
【００２７】
図１〜図３に示すように、本発明の実施例による冷凍庫用のヒンジ１００は、ベース１０と、接続座２０と、第一ピボットシャフト３０と、第二ピボットシャフト４０と、ガイドロッド５０と、支持座６０と、位置決め部７０と、スプリングシース８０と、スプリング９０とを含む。
【００２８】
具体的には、ベース１０の左側に第一フランジ部１１が設けられ、ベース１０の右側に第一フランジ１１部と対向する第二フランジ部１２が設けられ、第一フランジ部１１と第二フランジ部１２とには摺動溝１３が対向して設けられ、例えば、摺動溝１３は円弧状にすることができる。接続座２０は旋回的にベース１０の上端に接続し、接続座２０の左側に第一フランジ部１１と隣接する第三フランジ部２１が設けられ、接続座２０の右側に第二フランジ部１２に隣接する第四フランジ部２２が設けられる。これにより、第一ピボットシャフト３０及び第二ピボットシャフト４０がベース１０及び接続座２０上に便利に組み立てられる。
【００２９】
第一ピボットシャフト３０はベース１０の上端に設けられ、第一ピボットシャフト３０の左端が第一フランジ部１１と第三フランジ部２１とに旋回的に接続され、第一ピボットシャフト３０の右端が第二フランジ部１２と第四フランジ部２２とに旋回的に接続される。第二ピボットシャフト４０は第一ピボットシャフト３０と平行し、第二ピボットシャフト４０の左端は第三フランジと接続され、右端は第四フランジと接続され、且つ第二ピボットシャフト４０の両端はそれぞれに対応している第一フランジ部１１と第二フランジ部１２とにおける摺動溝１３内でスライド可能である。
【００３０】
支持座６０はベース１０の下端に設けられ、前記ガイドロッドの下端が前記支持座を通過する。ガイドロッド５０の上端は第二ピボットシャフト４０と旋回的に接続され、ガイドロッド５０の下端は支持座６０の貫通穴６１を通過する。ガイドロッド５０に位置決め部７０が設けられ、スプリングシース８０はガイドロッド５０に嵌めて設けられ、且つ位置決め部７０と支持座６０との間を移動することができる。
【００３１】
スプリング９０はスプリングシース８０に嵌めて設けられ、スプリング９０の上端が位置決め部７０の下端面と当接し、スプリング９０の下端が支持座６０の上端面と当接し、スプリング９０のその軸方向に沿う高さは、スプリングシース８０のその軸方向に沿う高さ以上である。スプリングシース８０は、スプリング９０がガイドロッド５０の中心線を外れる方向へ折り曲げられることを効果的に防止することができ、スプリング９０がガイドロッド５０と直接に接触することにより生じる摩擦騒音を避けることができる、と理解されている。
【００３２】
本発明の実施例による冷凍庫用のヒンジ１００によると、スプリングシース８０をガイドロッド５０とスプリング９０との間に嵌めて設けることにより、スプリング９０がガイドロッド５０の中心線を外れる方向へ折り曲げられることを効果的に防止することができ、スプリング９０がガイドロッド５０と直接に接触することにより生じる摩擦騒音を防止することができ、製品の性能を向上させ、ユーザーの満足度を向上させることができる。
【００３３】
スプリング９０の使用寿命が一定であることを考えると、一定期間使用された後には、スプリング９０は疲労による不良が生じやすくなり、この時スプリング９０の弾力が低減される。スプリング９０が疲労で生じる弾力低減の問題を克服するために、本発明の一部の具体的な例において、ガイドロッド５０を円筒形のガイドロッドにし、円筒形のガイドロッドに雄ねじ（図示せず）が設けられ、位置決め部７０はガイドロッド５０と螺合するナット、例えば六角ナットであって良い。これにより、位置決め部７０のガイドロッド５０における位置を調節することにより、スプリング９０の弾力を調節することができる。ナットがねじ山を通じてガイドロッド５０と接続することによりスプリング９０の圧縮量を調節し、更にスプリングの弾力の大きさを制御することにより、ヒンジ１００が異なる条件で製品がスプリング９０の弾力に対するニーズを満たすことができる。
【００３４】
図２に示すように、ナットはスプリング９０からの弾力の作用を受ける場合、ガイドロッド５０の軸方向に沿って移動しやすい。ナットがスプリング９０からの弾力の作用を受けてからガイドロッド５０の軸方向に沿って移動することを防止するために、本発明の一つの実施例によると、ナットの下方にガイドロッド５０と螺合するワッシャー７１が設けられている。ワッシャー７１もガイドロッド５０と螺合することができ、ワッシャー７１をガイドロッド５０に固定させ、ナットとガイドロッド５０とがスプリング９０の弾力を受けて移動することを防止するとともに、弾力の不規則な変化でヒンジ１００の使用効果に影響を与えることを防止することができる、と理解されている。具体的に、ワッシャー７１は滑り止めワッシャーであってもよい。
【００３５】
図３に示すように、本発明の一つの実施例によると、スプリングシース８０は、円管部８２とアニュラーフランジ部８１とを含む。具体的には、円管部８２はガイドロッド５０に嵌めて設けられ、アニュラーフランジ部８１は円管部８２の上端に設けられ、アニュラーフランジ部８１の上端がワッシャー７１の下端と当接する。言い換えると、アニュラーフランジ部８１は円管部８２の周方向に沿って延伸し且つ円管部８２の外周壁に突出し、アニュラーフランジ部８１はワッシャー７１の下端とスプリング９０の上端との間に位置し、円管部８２はガイドロッド５０の外に嵌められ、スプリング９０は円管部８２の外に嵌められる。
【００３６】
また、スプリングシース８０はＰＯＭスプリングシース８０であってもよく、ＰＯＭ材質のスプリングシース８０は、より耐摩耗の特性を有する。これにより、最大限でスプリング９０がガイドレールの軸線を外れる方向に沿って折り曲げられることを防止し、スプリング９０がガイドロッド５０と摩擦して騒音が生じることを防止することができる。
【００３７】
図３に示すように、本発明の一つの実施例によると、ガイドロッド５０の下端には、スプリング９０の下端と支持座６０との間に位置するスペーサ５１が嵌めて設けられている。好ましくは、スペーサ５１はゴムスペーサ５１であっても良い。これにより、スプリング９０が支持座６０と直接接触することにより生じる騒音を更に防止することができる。
【００３８】
本発明の一部の具体的な実施例において、図２、図３に示すように、ガイドロッド５０の上端には開口された「Ｃ」状の接続部５２を有し、第二ピボットシャフト４０が「Ｃ」状の接続部５２内に設けられている。これにより、ガイドロッド５０を第二ピボットシャフト４０上に組み立てやすくなる。ガイドロッド５０の上端が第二ピボットシャフト４０の軸方向に沿って移動することを防止するために、第二ピボットシャフト４０に「Ｃ」状の接続部５２の両側に位置するブッシング４１が設けられ、これにより「Ｃ」状の接続部５２の第二ピボットシャフト４０における位置が制限される。
【００３９】
「Ｃ」状の接続部５２の両側のブッシング４１は一体成型部材であっても良く、「Ｃ」状の接続部５２と接続する所のブッシング４１の中心部に、ブッシング４１の周方向に沿って延伸し、且つブッシング４１の軸線方向に向かって凹んで「Ｃ」状の接続部５２に結合できる溝体４２を有する。これにより、「Ｃ」状の接続部５２はブッシング４１に対して回動することができる。
【００４０】
なお、第二ピボットシャフト４０には、ガイドロッド５０の「Ｃ」状の接続部５２に結合できるブッシング４１が嵌めて設けられ、ガイドロッド５０と第二ピボットシャフト４０との間の接触が点接触から面接触に変更されることにより、ヒンジ１００の信頼性を向上させる。ブッシング４１の中心の溝体４２の構造は、ガイドロッド５０と第二ピボットシャフト４０との間の相対運動を効果的に制御することができ、更に騒音を低減させることができる。
【００４１】
本発明の実施例による冷凍庫（図示せず）は、上述のヒンジ１００を含む。
【００４２】
本発明の実施例による冷凍庫は、スプリングシース８０をガイドロッド５０とスプリング９０との間に嵌めて設けることにより、スプリング９０がガイドロッド５０の中心線を外れる方向へ折り曲げられることを効果的に防止することができ、スプリング９０がガイドロッド５０と直接に接触することにより生じる摩擦騒音を避けることができるので、冷凍庫の性能を向上させ、ユーザーの満足度を向上させる。
【００４３】
本発明の説明において、「一つの実施例」、「一部の実施例」、「例示」、「具体的な例示」、或いは「一部の例示」などの用語を参照した説明とは、該実施例或いは例示に結合して説明された具体的な特徴、構成、材料或いは特徴が、本発明の少なくとも一つの実施例或いは例示に含まれることである。本明細書において、上記用語に対する例示的な描写は、必ずしも同じ実施例或いは例示を示すことではない。又、説明された具体的な特徴、構成、材料或いは特徴は、いずれか一つ或いは複数の実施例又は例示において適切に結合することができる。なお、当業者は本明細書で描写された異なる実施例或いは例示を結合し且つ組み合わせることができる。
【００４４】
以上、本発明の実施例を示して説明したが、上記実施例は例示的なものであり、本発明を限定するものであると理解してはいけない。当業者は、本発明の範囲で、上記実施例に対して各種の変化、修正、切り替え及び変形を行うことができる。
【図１】
0006421235.tif 000002
【図２】
0006421235.tif 000003
【図３】
0006421235.tif 000004